(57)【特許請求の範囲】
【請求項１】
走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、前記収穫ローラの後方において左右一対の前記収穫ローラ及び前記搬送部を駆動する駆動部と、前記搬送部の後方において収穫対象物を受け止める底板部と、を備え、
前記駆動部は、駆動ケースと、前記駆動ケースから車体横方向一方側に突出する入力軸と、前記入力軸と同一軸芯上に配置され、前記駆動ケースから車体横方向他方側に突出する出力軸とを備え、
隣り合う前記作物収穫部のうちの一方の作物収穫部における前記出力軸と、他方の作物収穫部における前記入力軸とを連動連結する接続部を備え、
前記接続部は、前記出力軸に固定されたスプロケットと、前記入力軸に固定されたスプロケットと、前記両スプロケットに亘って巻回されて、両スプロケットを一体回転させるチェーンとを備え、
前記接続部の前下方を通過する状態で左右の側壁フレームに亘って設けられ、前記複数の作物収穫部が載置支持される横フレームが備えられ、
前記接続部を覆うカバーが備えられ、
前記カバーは、隣り合う前記作物収穫部の前記駆動ケース同士に亘る状態で、前記底板部の前端部から前記接続部の上方を通って前向きに前記接続部よりも前側まで延ばされ、かつ、前記接続部の前方を通って下向きに前記接続部よりも下側まで延ばされ、
前記カバーの前側部分は、前記横フレームとの間に隙間が形成される状態で前記スプロケットと前記横フレームとの間を通され、
前記前側部分の下部は、前記スプロケットの前下部の形状に添うように、後下方に向けて曲げられているトウモロコシ収穫機の収穫装置。
【請求項２】
前記チェーンは、前記両スプロケットの一方のスプロケットのみに巻回される第一チェーン部と、前記第一チェーン部と並列配置され、前記両スプロケットの他方のスプロケットのみに巻回される第二チェーン部とを一体的に備えている請求項１に記載のトウモロコシ収穫機の収穫装置。
【請求項３】
前記チェーンにおけるプレート同士を連結するピンが前記スプロケットの回転軸芯を中心として回転する際の回転軌跡と、前記スプロケットの歯の歯先の回転軌跡とが一致又は略一致している請求項１又は２に記載のトウモロコシ収穫機の収穫装置。
【請求項４】
前記スプロケットは、前記入力軸又は前記出力軸に外嵌されたボス部と、前記ボス部のうち、前記接続部によって当該スプロケットと連結されるスプロケットの側の端部における外周部に設けられたスプロケット本体とを備えている請求項１〜３のいずれか一項に記載のトウモロコシ収穫機の収穫装置。
【請求項５】
複数の前記作物収穫部のうちの左右両端における一方の端に位置する作物収穫部の前記入力軸及び前記出力軸のうち、装置横幅方向外側に位置する軸は、左右の側壁フレームのうちの前記一方の側の側壁フレームを貫通しており、
複数の前記作物収穫部のうちの左右両端における他方の端に位置する作物収穫部の前記入力軸及び前記出力軸のうち、装置横幅方向外側に位置する軸は、左右の側壁フレームのうちの前記他方の側の側壁フレームを貫通している請求項１〜４のいずれか一項に記載のトウモロコシ収穫機の収穫装置。
【請求項６】
前記底板部の前角部に開口が形成されている請求項１〜５のいずれか一項に記載のトウモロコシ収穫機の収穫装置。
【請求項７】
走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
前記収穫ローラ及び前記搬送部の後方において、左右の側壁フレームに亘って設けられて、収穫対象物を受け止める底板部が備えられ、
前記底板部の前角部に開口が形成されているトウモロコシ収穫機の収穫装置。
【請求項８】
前記底板部の上面に、前記搬送部の搬送下手側端部の下方に位置する状態で、前記開口の外周部に沿って立ち上がり部が設けられ、
上面視において、前記立ち上り部は、前記搬送部の搬送体の移動軌跡と重複する請求項６又は７に記載のトウモロコシ収穫機の収穫装置。
【請求項９】
前記立ち上がり部は、前記底板部の前端と前記側壁フレームとに亘る状態で設けられ、
前記立ち上がり部の前部が、上面視において前記移動軌跡と重複しており、
前記立ち上り部の後部は、前記前部よりも高く立ち上がっている請求項８に記載のトウモロコシ収穫機の収穫装置。
【請求項１０】
走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
側壁フレームにおける前部に切欠き部が設けられ、
側面視において、複数の前記作物収穫部のうちの横端に位置する作物収穫部の前記搬送部における搬送下手側端部が前記切欠き部に位置し、
上面視において、前記搬送下手側端部と前記切欠き部とが重複しているトウモロコシ収穫機の収穫装置。
【請求項１１】
走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
側壁フレームにおける前部に切欠き部が設けられ、
側面視において、複数の前記作物収穫部のうちの横端に位置する作物収穫部の前記搬送部における搬送下手側端部が前記切欠き部に位置し、
上面視において、前記搬送下手側端部と前記切欠き部とが隣り合っているトウモロコシ収穫機の収穫装置。
【発明の詳細な説明】
【技術分野】
【０００１】
本発明は、走行車体の前部に車体横方向に並んで位置する複数の作物収穫部を備えたトウモロコシ収穫機の収穫装置に関する。
【背景技術】
【０００２】
上記したトウモロコシ収穫機の収穫装置として、例えば特許文献１に示されるものがある。
すなわち、複数の作物収穫部（特許文献１では、収穫装置）では、車体走行に伴って導入される作物の茎部の両横側に分かれて位置した状態で前後軸芯まわりに回転駆動されて、茎部に対して下方に向けて係止作用する左右一対の収穫ローラ（特許文献１では、収穫ロール）と、収穫ローラの上方に設けられ、茎部が下方へ引き込まれたときに、作物の収穫対象物に係止することで、収穫対象物を茎部から分離させる分離部（特許文献１では、搬送装置フレーム）とが備えられ、トウモロコシ房状体を茎部から分離させる。分離部の上方に駆動可能に設けられ、茎部から分離した収穫対象物を収穫ロールの後方へ搬送する搬送部（特許文献１では、無端回動体）が備えられ、茎部から分離したトウモロコシ房状体が収穫ローラの後方へ搬送される。
【０００３】
各作物収穫部に、収穫ローラの後方において左右一対の収穫ローラ及び搬送部を駆動する駆動ケースが備えられている。駆動ケースから車体横方向一方側に突出する入力軸と、入力軸と同一軸芯上に配置され、駆動ケースから車体横方向他方側に突出する出力軸（特許文献１では、入力軸）とが備えられている。隣り合う作物収穫部のうちの一方の作物収穫部における出力軸と、他方の作物収穫部における入力軸とを連動連結する連動軸が備えられ、横端の作物収穫部の駆動ケースに駆動力が入力され、横端の作物収穫部の駆動ケースから他の作物収穫部の駆動ケースへ駆動力が伝達される、というものがある。
【先行技術文献】
【特許文献】
【０００４】
【特許文献１】特開２０１３−１８８１４３号公報
【発明の概要】
【発明が解決しようとする課題】
【０００５】
従来の場合、隣り合う作物収穫部の一方の作物収穫部の駆動ケースの入力軸と、他方の作物収穫部の駆動ケースの出力軸との間に、入力軸及び出力軸と同一軸芯の連動軸を設け、入力軸と連動軸とをジョイントによって連動連結し、出力軸と連動軸とをジョイントによって連動連結するので、隣り合う作物収穫部の駆動ケースどうしの間隔が広くなり、複数の作物収穫部を装置横方向に並べるのには、横幅の広いスペースが必要になる。
【０００６】
本発明は、車体横方向に並ぶ複数の作物収穫部を装備するものでありながら、横幅を狭くできるトウモロコシ収穫機の収穫装置を提供する。
【課題を解決するための手段】
【０００７】
本発明によるトウモロコシ収穫機の収穫装置は、走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、前記収穫ローラの後方において左右一対の前記収穫ローラ及び前記搬送部を駆動する駆動部と、前記搬送部の後方において収穫対象物を受け止める底板部と、を備え、
前記駆動部は、駆動ケースと、前記駆動ケースから車体横方向一方側に突出する入力軸と、前記入力軸と同一軸芯上に配置され、前記駆動ケースから車体横方向他方側に突出する出力軸とを備え、
隣り合う前記作物収穫部のうちの一方の作物収穫部における前記出力軸と、他方の作物収穫部における前記入力軸とを連動連結する接続部を備え、
前記接続部は、前記出力軸に固定されたスプロケットと、前記入力軸に固定されたスプロケットと、前記両スプロケットに亘って巻回されて、両スプロケットを一体回転させるチェーンとを備え、
前記接続部の前下方を通過する状態で左右の側壁フレームに亘って設けられ、前記複数の作物収穫部が載置支持される横フレームが備えられ、
前記接続部を覆うカバーが備えられ、
前記カバーは、隣り合う前記作物収穫部の前記駆動ケース同士に亘る状態で、前記底板部の前端部から前記接続部の上方を通って前向きに前記接続部よりも前側まで延ばされ、かつ、前記接続部の前方を通って下向きに前記接続部よりも下側まで延ばされ、
前記カバーの前側部分は、前記横フレームとの間に隙間が形成される状態で前記スプロケットと前記横フレームとの間を通され、
前記前側部分の下部は、前記スプロケットの前下部の形状に添うように、後下方に向けて曲げられている。
【０００８】
本構成によると、出力軸の駆動力が出力軸のスプロケットからチェーンを介して入力軸のスプロケットに伝達され、このスプロケットから入力軸に伝達されるので、入力軸と出力軸との間に、これらの軸芯に沿う方向における若干の位置ずれがあっても、スプロケットとチェーンとの間の融通によって吸収させつつ入力軸と出力軸とを連動連結できる。これに加え、入力軸と出力軸との間に連動軸を設けるのに比べ、入力軸と出力軸とを近付けて、隣り合う作物収穫部の駆動ケースどうしの間隔を狭くできる。
【０００９】
従って、複数の作物収穫部を車体横方向に並べて、複数条の植付条に位置するトウモロコシ植物体を収穫対象にできるものでありながら、複数の作物収穫部を横幅が狭いスペースに並べたコンパクトなトウモロコシ収穫機を得られる。
本構成によれば、土埃や葉屑などが接続部に前方から入り込んでスプロケット及びチェーンに付着することをカバーによって防止できる。
本構成によれば、葉屑やトウモロコシ房状体のひげなどが横フレームの後方に入り込むことがあっても、カバーが接続部と横フレームとの間に入り込んでいるので、葉屑などが接続部に入り込んでスプロケット及びチェーンに付着することをカバーによって防止できる。
【００１０】
本発明においては、前記チェーンは、前記両スプロケットの一方のスプロケットのみに巻回される第一チェーン部と、前記第一チェーン部と並列配置され、前記両スプロケットの他方のスプロケットのみに巻回される第二チェーン部とを一体的に備えていると好適である。
【００１１】
本構成によれば、一つのチェーンを一方のスプロケット及び他方のスプロケットに巻き回すものと比較して、チェーンのコマ１つ１つの幅が狭くなるため、コマに作用するせん断力等によりピンが損傷、摩耗することを防止できると共に、コマとスプロケットの隙間が小さくなり、スプロケットの歯がコマから外れにくくなる。
【００１２】
本発明においては、前記チェーンにおけるプレート同士を連結するピンが前記スプロケットの回転軸芯を中心として回転する際の回転軌跡と、前記スプロケットの歯の歯先の回転軌跡とが一致又は略一致していると好適である。
【００１３】
本構成によれば、スプロケットとチェーンとの咬み合い深さがあまり深くならず、両スプロケットの間にガタ付きが発生しても吸収させ易い。
【００１４】
本発明においては、前記スプロケットは、前記入力軸又は前記出力軸に外嵌されたボス部と、前記ボス部のうち、前記接続部によって当該スプロケットと連結されるスプロケットの側の端部における外周部に設けられたスプロケット本体とを備えていると好適である。
【００１５】
本構成によれば、両スプロケットのスプロケット本体どうしを寄せ合って入力軸と出力軸とを近付けつつ、ボス部の入力軸や出力軸の軸芯に沿う方向での長さを長くして、両スプロケットを入力軸や出力軸に安定的に支持できる。
本発明においては、複数の前記作物収穫部のうちの左右両端における一方の端に位置する作物収穫部の前記入力軸及び前記出力軸のうち、装置横幅方向外側に位置する軸は、左右の側壁フレームのうちの前記一方の側の側壁フレームを貫通しており、複数の前記作物収穫部のうちの左右両端における他方の端に位置する作物収穫部の前記入力軸及び前記出力軸のうち、装置横幅方向外側に位置する軸は、左右の側壁フレームのうちの前記他方の側の側壁フレームを貫通していると好適である。
本構成によれば、左右の側壁フレームを出力軸や入力軸が貫通しているので、出力軸や入力軸が側壁フレームより内側に引退するのに比べ、左右の側壁フレームの間隔を狭くして収穫装置をコンパトにすることができる。
本発明において、前記底板部の前角部に開口が形成されていると好適である。
【００１６】
【００１７】
【００１８】
【００１９】
【００２０】
別の本発明によるトウモロコシ収穫機の収穫装置は、走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
前記収穫ローラ及び前記搬送部の後方において、左右の側壁フレームに亘って設けられて、収穫対象物を受け止める底板部が備えられ、前記底板部の前角部に開口が形成されている。
【００２１】
本構成によれば、葉屑などがトウモロコシ房状体に混在して底板部に入り込んでも、葉屑などを開口から落下させることができ、葉屑などが底板部に滞留することを防止できる。
【００２２】
本発明においては、前記底板部の上面に、前記搬送部の搬送下手側端部の下方に位置する状態で、前記開口の外周部に沿って立ち上がり部が設けられ、上面視において、前記立ち上り部は、前記搬送部の搬送体の移動軌跡と重複すると好適である。
【００２３】
本構成によれば、底板部を補強するリブ機能、及び搬送体に付いた葉屑などを除去するスクレーパ機能を立ち上がり部に備えさせられる。つまり、立ち上り部を上記のように設けるという簡単な構造で、底板部を補強できると共に搬送体から葉屑などを除去できる。
【００２４】
本発明においては、前記立ち上がり部は、前記底板部の前端と前記側壁フレームとに亘る状態で設けられ、前記立ち上がり部の前部が、上面視において前記移動軌跡と重複しており、前記立ち上り部の後部は、前記前部よりも高く立ち上がっていると好適である。
【００２５】
本構成によれば、立ち上がり部の後部の立ち上がり部の高さによって立ち上がり部を側壁フレームに強固に連結して、立ち上がり部を側壁フレームによってしっかり支持させられるので、立ち上がり部による底板部の補強及び搬送体からの葉屑の取り除きを効果的にできる。
【００２６】
【００２７】
【００２８】
別の本発明によるトウモコシ収穫機の収穫装置は、走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
側壁フレームにおける前部に切欠き部が設けられ、側面視において、複数の前記作物収穫部のうちの横端に位置する作物収穫部の前記搬送部における搬送下手側端部が前記切欠き部に位置し、上面視において、前記搬送下手側端部と前記切欠き部とが重複している。
【００２９】
本構成によれば、搬送部の搬送体に葉屑などが付いていても、搬送体が切欠き部を通って、葉屑などが側壁フレームに詰まることを防止できるので、左右の側壁フレームの間隔を狭くして収穫装置をコンパクトにすることができる。
【００３０】
別の本発明によるトウモコシ収穫機の収穫装置は、走行車体の前部に車体横方向に並んで位置する複数の作物収穫部を備え、
前記作物収穫部は、車体走行に伴って導入される作物の茎部の両横側に分かれて位置した状態で前後軸芯まわりに回転駆動されて、茎部に対して下方に向けて係止作用する左右一対の収穫ローラと、前記収穫ローラの上方に設けられ、茎部が下方へ引き込まれたときに、作物の収穫対象物に係止することで、収穫対象物を茎部から分離させる分離部と、前記分離部の上方に駆動可能に設けられ、茎部から分離した収穫対象物を前記収穫ローラの後方へ搬送する搬送部と、を備え、
側壁フレームにおける前部に切欠き部が設けられ、側面視において、複数の前記作物収穫部のうちの横端に位置する作物収穫部の前記搬送部における搬送下手側端部が前記切欠き部に位置し、上面視において、前記搬送下手側端部と前記切欠き部とが隣り合っている。
【００３１】
本構成によれば、搬送部の搬送体に葉屑などが付いていても、搬送体が切欠き部の内側を通って、葉屑などが側壁フレームに詰まることを防止できるので、左右の側壁フレームの間隔を狭くして収穫装置をコンパクトにすることができる。
【図面の簡単な説明】
【００３２】
【図１】トウモロコシ収穫機の全体を示す左側面図である。
【図２】トウモロコシ収穫機の全体を示す平面図である。
【図３】収穫装置を示す平面図である。
【図４】収穫装置フレーム及び作物収穫部を示す平面図である。
【図５】収穫装置フレームを示す斜視図である。
【図６】作物収穫部の後部を示す平面図である。
【図７】作物収穫部の縦断正面図である。
【図８】接続部を示す側面図である。
【図９】接続部を示す縦断正面図である。
【図１０】接続部を示す縦断側面図である。
【図１１】収穫装置の右端側の後部を示す平面図である。
【図１２】収穫装置の左端側の後部を示す平面図である。
【図１３】側壁フレームを示す側面図である。
【図１４】別の実施構造を備えた収穫装置の後部を示す平面図である。
【発明を実施するための形態】
【００３３】
以下、本発明に係るトウモロコシ収穫機の実施形態を図面に基づいて説明する。
図１は、トウモロコシ収穫機の全体を示す左側面図である。図２は、トウモロコシ収穫機の全体を示す平面図である。図１及び図２に示す［Ｆ］の方向が走行車体の前側、［Ｂ］の方向が走行車体の後側、［Ｌ］の方向が走行車体の左側、［Ｒ］の方向が走行車体の右側と定義する。
【００３４】
図１，２に示すように、トウモロコシ収穫機は、車体フレーム１の下部に左右一対の前車輪２及び左右一対の後車輪３が装備された走行車体を備えている。走行車体の前部に搭乗型の運転部４が設けられている。運転部４には、搭乗空間を覆うキャビン４ａが備えられている。走行車体の前車輪２と後車輪３との間にエンジン５が設けられている。走行車体は、エンジン５からの駆動力が走行ミッション６に伝達されて前車輪２が駆動されることによって自走する。走行車体の前部に収穫装置２０が上下揺動可能に連結されている。
収穫装置２０は、地面近くに位置した状態の下降作業状態と、下降作業状態から上昇した状態の上昇非作業状態とに亘って昇降シリンダ７によって昇降操作される。走行車体の後部に皮剥き装置８、揺動選別装置９、回収容器１０及び回収タンク１１が設けられている。収穫装置２０の後部と皮剥き装置８の上部とに亘ってフィーダ１２が設けられている。
前車輪２と後車輪３との間に残稈処理装置１３が設けられている。
【００３５】
トウモロコシ収穫機では、収穫装置２０を下降作業状態にして走行車体を走行させることにより、トウモロコシ房状体の収穫作業をできる。すなわち、植立状態のトウモロコシ植物体が収穫装置２０に導入され、収穫装置２０において、トウモロコシ植物体からトウモロコシ房状体（トウモロコシの種子粒が棒状に連なって房状になり、かつ包葉によって包まれているもの）が収穫される。収穫されたトウモロコシ房状体がフィーダ１２によって走行車体の後方上方に搬送されて皮剥き装置８に供給され、皮剥き装置８において、トウモロコシ房状体の包葉が剥き取られる。包葉の剥き取り処理を終えたトウモロコシ房状体が皮剥き装置８から車体後方向きに排出され、回収タンク１１に回収されて貯留される。皮剥き装置８で剥き取られた包葉、及び包葉の剥き取りに伴ってトウモロコシ房状体からはずれたトウモロコシ粒（種子粒）が皮剥き装置８から揺動選別装置９に落下し、揺動選別装置９によってトウモロコシ粒が包葉などから選別される。選別されたトウモロコシ粒は、揺動選別装置９から回収容器１０に落下して回収される。揺動選別装置９でトウモロコシ粒と選別された包葉などは、揺動選別装置９の前端から排出される。排出された包葉などは、落下ガイド１４（図１参照）による案内を受けて残稈処理装置１３の前方に落下する。落下した包葉などは、収穫装置２０によってトウモロコシ房状体が収穫されて圃場に植立状態で残ったトウモロコシ植物体の稈身などと共に残稈処理装置１３に入り込んで細断処理される。
【００３６】
収穫装置２０について詳述する。
収穫装置２０は、図１，２，３に示すように、走行車体の前部に上下揺動可能に支持された収穫装置フレーム２１を備えている。収穫装置フレーム２１に、車体横方向に並ぶ四つの作物収穫部３０、及び一つの横送りオーガ１５が設けられている。本実施例では、四つの作物収穫部３０が設けられているが、四つに限らず、三つや五つなど、いくつの作物収穫部３０を設けてもよい。
【００３７】
図１，２，３に示すように、収穫装置２０には、二つのサイド収穫部カバー１６及び三つのセンタ収穫部カバー１７が設けられている。サイド収穫部カバー１６は、横端の作物収穫部３０の車体横外側の半分の部分の上方を覆っている。センタ収穫部カバー１７は、隣り合う作物収穫部３０の車体横方向における半分ずつの部分の上方を覆っている。
【００３８】
収穫装置フレーム２１は、図３，４，５に示すように、左右一対の縦板状の側壁フレーム２２と、後壁フレーム２４と、横フレーム２５と、左右一対の連結フレーム２６とを備えている。横フレーム２５は、左右の側壁フレーム２２の前部分に亘って設けられている。横フレーム２５と左右の側壁フレーム２２とは、連結されている。左右の連結フレーム２６は、後壁フレーム２４から後方向きに延出されている。後壁フレーム２４の車体横方向における中央部に排出口２７が形成されている。横フレーム２５の後方において、左右の側壁フレーム２２に亘って底板部２３が設けられている。底板部２３と左右の側壁フレーム２２とは、連結されている。底板部２３の後端部と後壁フレーム２４の下端部とに亘って搬送底板部２９が設けられている。
【００３９】
左右の連結フレーム２６の延出端部が車体フレーム１の支柱フレーム部１ａ（図１参照）に支軸２８を介して支持されている。収穫装置フレーム２１が支軸２８の車体横方向に延びる軸芯を揺動中心にして走行車体に対して上下揺動する。
【００４０】
図４に示すように、各作物収穫部３０は、収穫部フレーム３１を備えている。収穫部フレーム３１に、左右一対の収穫ローラ３２、分離部３３、搬送部３４及び駆動部３５が支持されている。
【００４１】
収穫部フレーム３１は、図４，６に示すように、左右一対の車体前後方向に延びるメインフレーム３１ａと、取付けフレーム３１ｂとを備えている。取付けフレーム３１ｂは、左右のメインフレーム３１ａの後端部に亘って連結されている。収穫部フレーム３１は、図７，８に示す如く取付けフレーム３１ｂが横フレーム２５に載置して支持されていることで、横フレーム２５に支持されている。つまり、各作物収穫部３０は、収穫部フレーム３１の後部分で横フレーム２５に載置支持されている。各作物収穫部３０は、一つの植付条のトウモロコシ植物体からトウモロコシ房状体を収穫するのに必要な左右の収穫ローラ３２、分離部３３、搬送部３４及び駆動部３５を纏めて収穫部フレーム３１に装備されたユニット構造になっている。
【００４２】
図４，６，８に示すように、駆動部３５は、左右の収穫ローラ３２の後方に位置している。駆動部３５には、駆動ケース３５ａが備えられている。駆動ケース３５ａは、左右一対のブラケット３１ｃを介して取付けフレーム３１ｂに支持されていることで、収穫部フレーム３１に支持されている。左右のブラケット３１ｃは、取付けフレーム３１ｂから後方向きに延出されている。
【００４３】
左右の収穫ローラ３２の後端側は、駆動ケース３５ａに回転駆動可能に支持されている。具体的には、駆動ケース３５ａから左右一対のローラ駆動軸が前方向きに突出する状態で備えられている。収穫ローラ３２の後端部がローラ駆動軸に相対回転不能に支持されている。左右の収穫ローラ３２の前端側は、支持部３６（図４，７参照）に回転可能に支持されている。支持部３６は、メインフレーム３１ａの前部に備えられている。左右の収穫ローラ３２は、車体前後方向に延びる軸芯Ｘ（前後軸芯）を回転中心にして駆動ケース３５ａによって回転駆動される。図７に示すように、車体前方から見て、左の収穫ローラ３２は、時計回りと同じ回転方向Ａに回転駆動され、右の収穫ローラ３２は、時計回りと反対の回転方向Ｂに回転駆動される。左右の収穫ローラ３２は、収穫ローラ３２間に導入されたトウモロコシ植物体の茎部に対して下方に向けて係止作用することで、茎部を引き下げ操作する。
【００４４】
図７に示すように、分離部３３は、収穫ローラ３２の上方に設けられ、茎部が収穫ローラ３２によって下方へ引き込まれたとき、茎部に付いているトウモロコシ房状体を茎部から分離させる。具体的には、分離部３３には、左右の収穫ローラ３２の上方に分かれて位置する左右一対の分離板３３ａが備えられている。左右の分離板３３ａは、収穫ローラ３２の長手方向に沿った状態でメインフレーム３１ａに支持されている。左右の収穫ローラ３２の間に導入された茎部は、左右の分離板３３ａの間に位置する。左右の分離板３３ａは、茎部が収穫ローラ３２によって下方へ引き込まれても、茎部に付いているトウモロコシ房状体を茎部に付いて下方へ引き込まれないように下方から受け支持することにより、トウモロコシ房状体を茎部から分離させる。
【００４５】
搬送部３４は、図７，８に示すように、分離部３３の上方に設けられ、茎部から分離したトウモロコシ房状体を後方に搬送する。具体的には、搬送部３４には、左右一対の無端型の搬送チェーン３４ａが備えられている。左右の搬送チェーン３４ａは、左右の収穫ローラ３２の間に導入された茎部が左右の搬送チェーン３４ａの間に位置する状態で搬送始端側のスプロケット３７（図４参照）と、搬送終端側のスプロケット３８とに巻回されている。搬送始端側のスプロケット３７は、メインフレーム３１ａの前端部に回転可能に支持されている。搬送終端側のスプロケット３８は、駆動ケース３５ａに回転駆動可能に支持されている。左右の搬送チェーン３４ａは、駆動ケース３５ａによって駆動されて、アーム型の搬送体３４ｂ（図７参照）を分離板３３ａの上に位置するトウモロコシ房状体に係止作用させることで、トウモロコシ房状体を分離部３３及び収穫ローラ３２の後方へ搬送する。
【００４６】
横送りオーガ１５は、図４、１３に示すように、底板部２３の上方に配置され、左右の側壁フレーム２２に駆動回転可能に支持されている。横送りオーガ１５の軸芯方向における中央部に掻送り羽根１５ａが一体回転可能に取付けられている。
【００４７】
収穫装置２０を下降作業状態にして走行車体を走行させることにより、四条の植付条の植立状態のトウモロコシ植物体が、走行車体の走行と、車体横方向に並ぶデバイダ１８（図２，３参照）による案内とによって四つの作物収穫部３０に分かれて導入される。デバイダ１８は、サイド収穫部カバー１６やセンタ収穫部カバー１７の前端部に支持されている。各作物収穫部３０において、トウモロコシ植物体の茎部が左右の収穫ローラ３２の間、左右の分離板３３ａの間、左右の搬送チェーン３４ａの間に導入され、茎部の両横側に分れて位置する左右の収穫ローラ３２によって茎部が下方へ引き込まれる。茎部が下方へ引き込まれたとき、茎部に付いているトウモロコシ房状体が、分離部３３の分離板３３ａによって下方から受け止め支持されて分離操作され、茎部から分離する。茎部から分離したトウモロコシ房状体は、搬送部３４の左右の搬送チェーン３４ａによって分離板３３ａの上を後方へ搬送され、搬送部３４及び収穫ローラ３２の後方に落下して底板部２３に受け止められ、底板部２３から搬送底板部２９へ流動する。搬送底板部２９に流動したトウモロコシ房状体は、横送りオーガ１５によって搬送底板部２９の中央部へ搬送され、この中央部から掻送り羽根１５ａ（図３，４参照）によって後方へ排出され、排出口２７を介してフィーダ１２に供給される。トウモロコシ房状体が分離した茎部は、横フレーム２５及び底板部２３の下方を通って収穫装置２０の後方へ出る。
【００４８】
各作物収穫部３０において、図４，６に示すように、駆動部３５には、駆動ケース３５ａから車体右横方向側に突出した入力軸４１と、駆動ケース３５ａから車体左横方向側に突出した出力軸４２とが備えられている。入力軸４１と出力軸４２とは、同一軸芯上に配置されている。入力軸４１と出力軸４２とは、駆動ケース３５ａの内部で、収穫ローラ３２に出力するギヤ（図示せず）によって連動連結されている。本実施例では、入力軸４１と出力軸４２とは、別々の軸に構成されているが、一本の軸部材によって構成してもよい。
【００４９】
図４，６に示すように、隣り合う作物収穫部３０どうしの間において、一方の作物収穫部３０の入力軸４１と、他方の作物収穫部３０の出力軸４２とに亘って接続部４３が設けられている。入力軸４１と出力軸４２とが接続部４３によって連動連結されている。図４に示すように、右端の作物収穫部３０の入力軸４１と、収穫装置２０の収穫入力軸４４とが連動機構４５によって連動連結されている。本実施例では、連動機構４５は、チェーンによって構成されている。連動機構４５は、チェーンに限らず、ベルト、回転軸などによって構成してもよい。エンジン５から収穫入力軸４４に入力された駆動力が連動機構４５によって右端の作物収穫部３０の入力軸４１に伝達され、この入力軸４１から四つ駆動ケース３５ａに伝達されて、四つの作物収穫部３０の収穫ローラ３２、及び搬送部３４の搬送チェーン３４ａが駆動される。
【００５０】
各接続部４３は、図４，６，９に示すように、一対のスプロケット４６，４７と、一つのチェーン４８とを備えている。具体的には、一方のスプロケット４６は、入力軸４１に固定され、他方のスプロケット４７は、出力軸４２に固定されている。チェーン４８は、両スプロケット４６，４７に亘って巻回されて、両スプロケット４６，４７を一体回転可能に連動連結している。入力軸４１と出力軸４２との間に入力軸４１及び出力軸４２の軸芯に沿う方向における若干の位置ずれがあっても、スプロケット４６，４７とチェーン４８との間の融通によって吸収しつつ、出力軸４２と入力軸４１とを連動連結できる。出力軸４２と入力軸４１との間に出力軸４２及び入力軸４１と同一軸芯の連動軸を設けるよりも近付き合う状態で出力軸４２と入力軸４１と配置できる。
【００５１】
両スプロケット４６，４７とチェーン４８とは、チェーン４８のピン４８ｐがスプロケット４６，４７の回転軸芯Ｙを中心として回転する際、ピン４８ｐの回転軌跡と、スプロケット４６，４７の歯の歯先４６ｔ，４７ｔの回転軌跡ＨＴとが一致する状態で咬み合っている。チェーン４８のピン４８ｐとは、チェーン４８におけるプレート同士を連結しているピンである。スプロケット４６，４７とチェーン４８との咬み合いがあまり深くならず、両スプロケット４６，４７の間にガタ付きが発生しても吸収させ易い。
【００５２】
ピン４８ｐの回転軌跡と、歯先４６ｔ，４７ｔの回転軌跡ＨＴとが一致する状態とは、図１０に示す如く回転軸芯Ｙから歯先４６ｔ，４７ｔまでの距離が回転軸芯Ｙからピン４８ｐの軸芯４８ｃまでの距離と同じで、ピン４８ｐの軸芯４８ｃの回転軌跡ＰＴと歯先４６ｔ，４７ｔの回転軌跡ＨＴとが位置する状態、及び、回転軸芯Ｙから歯先４６ｔ，４７ｔまでの距離が回転軸芯Ｙからピン４８ｐの軸芯４８ｃまでの距離よりも長く、ピン４８ｐの外周縁のうちの回転軸芯Ｙ及び軸芯４８ｃを通る直線上に位置する部位４８ｄ（図１０参照）から軸芯４８ｃまでのピン領域における全てのピン部分の回転軌跡と、歯先４６ｔ，４７ｔの回転軌跡ＨＴとが一致する状態である。
【００５３】
このように、ピン４８ｐの回転軌跡と歯先４６ｔ，４７ｔの回転軌跡ＨＴとが一致する状態でスプロケット４６，４７とチェーン４８とが咬み合う構成を採用するに限らず、ピン４８ｐの回転軌跡と歯先４６ｔ，４７ｔの回転軌跡ＨＴとが略一致する状態、すなわち、回転軸芯Ｙから歯先４６ｔ，４７ｔまでの距離が回転軸芯Ｙからピン４８ｐの前記部位４８ｄまでの距離よりも少し長く、歯先４６ｔ，４７ｔの回転軌跡ＨＴがピン４８ｐに対してスプロケット４６，４７の半径方向外側に少し外れて位置する状態で、スプロケット４６，４７とチェーン４８とが咬み合う構成を採用してもよい。つまり、両スプロケット４６，４７の間にガタ付きが発生しても吸収し易い咬み合い深さでスプロケット４６，４７とチェーン４８とが咬み合うものであればよい。
【００５４】
チェーン４８は、図９に示すように、一方のスプロケット４６のみに巻回される第一チェーン部４８Ａと、他方のスプロケット４７のみに巻回される第二チェーン部４８Ｂとを並列配置された状態で備えている。第一チェーン部４８Ａと、第二チェーン部４８Ｂとは、ピン４８ｐによって一体的に回動する状態で連結されている。チェーン４８は、いわゆる二列ローラチェーンよって構成され、一方のスプロケット４６のみに巻回されるローラの列と、他方のスプロケット４７のみに巻回されるローラの列と、チェーン４８の中央及び左右外側に位置するプレートとを備えている。両スプロケット４６，４７は、回転方向に位置ずれしない状態でチェーン４８によってしっかり連結される。すなわち、一つのチェーンを一方のスプロケット４６及び他方のスプロケット４７に巻き回すものと比較して、チェーンのコマ１つ１つの幅が狭くなるため、コマに作用するせん断力等によりピン４８ｐが損傷、摩耗することを防止できる。また、コマとスプロケット４６，４７の隙間が小さくなり、スプロケット４６，４７の歯がコマから外れにくくなる。
【００５５】
両スプロケット４６，４７には、ボス部４６ｂ，４７ｂとスプロケット本体４６ｓ，４７ｓとが備えられている。ボス部４６ｂ，４７ｂは、入力軸４１又は出力軸４２に外嵌されている。ボス部４６ｂと入力軸４１とは、キーを介しての係合によって相対回転不能に連結している。ボス部４７ｂと出力軸４２とは、キーを介しての係合によって相対回転不能に連結している。スプロケット本体４６ｓ，４７ｓは、ボス部４６ｂ，４７ｂのうち、当該スプロケット本体４６ｓ，４７ｓを備えるスプロケット４６，４７が接続部４３によって連結されるスプロケット４７，４６の側の端部における外周部に設けられている。スプロケット本体４６ｓ、４７ｓとボス部４６ｂ，４７ｂとは、一体回転可能に連結されている。両スプロケット本体４６ｓ，４７ｓどうしを寄せ合って出力軸４２と入力軸４１とを近付けつつ、ボス部４６ｂ，４７ｂの入力軸４１又は出力軸４２の軸芯に沿う方向における長さを長くして、スプロケット４６，４７を入力軸４１又は出力軸４２に安定的に支持できる。
【００５６】
図４，５，１１に示すように、右の側壁フレーム２２に貫通孔２２ａが設けられ、右端の作物収穫部３０の入力軸４１が右の側壁フレーム２２を貫通している。図４，５，１２に示すように、左の側壁フレーム２２に貫通孔２２ａが設けられ、左端の作物収穫部３０の出力軸４２が左の側壁フレーム２２を貫通している。右端の入力軸４１及び左端の出力軸４２が側壁フレーム２２よりも内側に引退するのに比べ、左右の側壁フレーム２２の間隔を狭くできる。各作物収穫部３０は、ユニット構造に構成されているので、入力軸４１及び出力軸４２が横側から突出した駆動ケース３５ａを備えている。これにより、連動機構４５が位置する側と反対側の横端に位置する作物収穫部３０における駆動ケース３５ａから出力軸４２が突出している。これにもかかわらず、横端の入力軸４１及び出力軸４２が側壁フレーム２２を貫通していることで、左右の側壁フレーム２２の間隔を狭くできる。
【００５７】
図４，６，８に示すように、各接続部４３の前方がカバー５０によって覆われている。
カバー５０は、支持板５１から下向きに延出されている。葉屑やトウモロコシ房状体のひげなどが搬送チェーン３４ａの戻り経路を移動する搬送体３４ｂに巻き込まれるなどによって、接続部４３に向かうことがあっても、接続部４３へ入り込むことをカバー５０によって防止でき、葉屑やひげなどがスプロケット４６，４７及びチェーン４８に巻き付くことを防止できる。
【００５８】
図８に示すように、接続部４３の前下方を横フレーム２５が車体横方向に通過している。カバー５０の下端側部５０ａが接続部４３と横フレーム２５との間に入り込んでいる。
葉屑、ひげなどが横フレーム２５の後方に入り込んでも、スプロケット４６，４７及びチェーン４８に巻き付くことを、接続部４３と横フレーム２５との間へのカバー５０の入り込みによって効果的に防止できる。
【００５９】
支持板５１は、接続部４３の上方に配置され、隣り合う駆動ケース３５ａに亘って支持されている。接続部４３の上方が支持板５１によって覆われ、葉屑やひげなどが接続部４３に上方から入り込むことをカバーの一部としての支持板５１によって防止できる。支持板５１の後部から左右一対の支持アーム５２が上方向きに延出されている。左右の支持アーム５２は、支軸５３を介し、センタ収穫部カバー１７の後端側を支持するよう構成されている。
【００６０】
底板部２３の両横端側において、図４，１１，１２に示すように、底板部２３の前角部に開口５５が形成されている。底板部２３にトウモロコシ房状体と共に入り込んだ葉屑などの塵埃を開口５５によって落下させて外部へ排出できる。
【００６１】
図１１，１２，１３に示すように、底板部２３の上面に開口５５の外周部に沿って立ち上がり部５６が設けられている。立ち上がり部５６のリブ機能によって底板部２３を補強できる。立ち上がり部５６は、横端の作物収穫部３０の搬送部３４における横外側の搬送チェーン３４ａの搬送下手側端部の下方に位置している。上面視において、立ち上がり部５６と、これの上方に搬送下手側端部が位置する搬送チェーン３４ａの搬送体３４ｂの移動軌跡３４Ｔとが重複している。搬送体３４ｂに葉屑などが付いていると、立ち上がり部５６のスクレーパ機能によって除去できる。
【００６２】
図１１，１２に示すように、立ち上がり部５６は、底板部２３の前端２３ｔと、側壁フレーム２２とに亘る状態で設けられている。立ち上がり部５６の後端側は、側壁フレーム２２に連結されている。具体的には、立ち上がり部５６の後端側は、側壁フレーム２２のうちの上端側の折曲げ端部から外れた縦壁部に連結されている。立ち上がり部５６の前部５６ｆが、上面視において搬送体３４ｂの移動軌跡３４Ｔと重複し、立ち上がり部５６の後部５６ｒが前部５６ｆよりも高く立ち上がっている。側壁フレーム２２に連結している後部５６ｒの立ち上がり高さが高いことにより、立ち上がり部５６を側壁フレーム２２に強固に連結でき、立ち上がり部５６を側壁フレーム２２によってしっかり支持させられる。
【００６３】
左右の側壁フレーム２２において、図１１，１２，１３に示すように、側壁フレーム２２における前部２２ｆに切欠き部５７が設けられている。側面視において、横端に位置する作物収穫部３０の搬送部３４における横外側の搬送チェーン３４ａの搬送下手側端部が切欠き部５７に位置する。上面視において、横端に位置する作物収穫部３０の搬送部３４における横外側の搬送チェーン３４ａの搬送下手側端部と切欠き部５７とが重複している。搬送体３４ｂに葉屑などが付いていても、搬送体３４ｂが切欠き部５７を通って、葉屑などが側壁フレーム２２に詰まることを防止できるので、左右の側壁フレーム２２の間隔を狭くできる。
【００６４】
〔別実施形態〕
（１）図１４は、別の実施構造を備える収穫装置２０の横側部を示す平面図である。別の実施構造を備える収穫装置２０では、側面視において、横端に位置する作物収穫部３０の搬送部３４における横外側の搬送チェーン３４ａの搬送下手側端部が側壁フレーム２２の切欠き部５７に位置し、上面視において、横端に位置する作物収穫部３０の搬送部３４における横外側の搬送チェーン３４ａの搬送下手側端部と切欠き部５７とが隣り合っている。搬送体３４ｂに葉屑などが付いていても、搬送体３４ｂが切欠き部５７の内側を通って、葉屑などが側壁フレーム２２に詰まることを防止できるので、左右の側壁フレーム２２の間隔を狭くできる。
【００６５】
（２）上記した実施例では、右端の作物収穫部３０の駆動ケース３５ａに収穫入力軸４４から入力するよう構成されているが、この構造に限らず、次の如く構成してもよい。すなわち、各駆動ケース３５ａから入力軸４１を車体左横方向側に突出させ、各駆動ケース３５ａから出力軸４２を車体右横方向側に突出させ、左端の作物収穫部３０の駆動ケース３５ａに駆動力を入力し、左端の作物収穫部３０の駆動ケース３５ａから他の作物収穫部３０の駆動ケース３５ａに駆動力を伝達するよう構成してもよい。また、左右両横端の駆動ケース３５ａに駆動力を入力し、左端の駆動ケース３５ａからこれに隣り合う駆動ケース３５ａに駆動力を伝達し、右端の駆動ケース３５ａからこれに隣り合う駆動ケース３５ａに駆動力を伝達するように構成してもよい。
【００６６】
（３）上記した実施例では、第一チェーン部４８Ａと第二チェーン部４８Ｂとを一体的に備えたチェーン４８を採用した例を示したが、両スプロケット４６，４７に跨って巻回される単独のチェーン、いわゆる単列ローラチェーンを採用してもよい。
【００６７】
（４）上記した実施例では、カバー５０を設けた例を示したが、カバー５０を設けずに実施してもよい。
【００６８】
（５）上記した実施例では、カバー５０が接続部４３と横フレーム２５との間に入り込む例を示したが、この入り込みを設けずに実施してもよい。
【００６９】
（６）上記した実施例では、開口５５を設けた例を示したが、開口５５を設けずに実施してもよい。
【００７０】
（７）上記した実施例では、立ち上がり部５６を設けた例を示したが、立ち上がり部５６を設けずに実施してもよい。
【００７１】
（８）上記した実施例では、立ち上がり部５６の後部５６ｒが前部５６ｆよりも高く立ち上がる例を示したが、前部５６ｆ及び後部５６ｒの立ち上がり高さを同じにしてもよい。
【産業上の利用可能性】
【００７２】
本発明は、前車輪及び後車輪に代えて、クローラ走行装置を備えるとか、前車輪及び後車輪の一方に代えてミニクローラ走行装置を備えたトウモロコシ収穫機の収穫装置に適用できる。
【符号の説明】
【００７３】
２２        側壁フレーム
２３        底板部
２３ｔ      前端
３０        作物収穫部
３２        収穫ローラ
３３        分離部
３４        搬送部
３４Ｔ      移動軌跡
３５        駆動部
３５ａ      駆動ケース
４１        入力軸
４２        出力軸
４３        接続部
４６        スプロケット
４６ｂ      ボス部
４６ｓ      スプロケット本体
４７        スプロケット
４７ｂ      ボス部
４７ｓ      スプロケット本体
４８        チェーン
５０        カバー
５１ カバー（支持板）
５５        開口
５６        立ち上がり部
５６ｆ      前部
５６ｒ      後部
５７        切欠き部
ＨＴ        回転軌跡
Ｘ          軸芯
Ｙ          軸芯
【図１】
0006545087.tif 000002
【図２】
0006545087.tif 000003
【図３】
0006545087.tif 000004
【図４】
0006545087.tif 000005
【図５】
0006545087.tif 000006
【図６】
0006545087.tif 000007
【図７】
0006545087.tif 000008
【図８】
0006545087.tif 000009
【図９】
0006545087.tif 000010
【図１０】
0006545087.tif 000011
【図１１】
0006545087.tif 000012
【図１２】
0006545087.tif 000013
【図１３】
0006545087.tif 000014
【図１４】
0006545087.tif 000015